【手続補正書】
【提出日】平成26年2月19日(2014.2.19)
【手続補正１】
【補正対象書類名】明細書
【補正対象項目名】発明の名称
【補正方法】変更
【補正の内容】
【発明の名称】ミニショベル
【手続補正２】
【補正対象書類名】明細書
【補正対象項目名】０００１
【補正方法】変更
【補正の内容】
【０００１】
本発明は、エンジンの排気ガスを車体の上方位置において放出する排気管を備えたミニショベルに関する。
【手続補正３】
【補正対象書類名】明細書
【補正対象項目名】０００２
【補正方法】変更
【補正の内容】
【０００２】
ミニショベルのように小型の作業機械では、造園や配管工事等のために比較的狭い作業場所で活用されることが多い。このような狭い作業場所にあっては、排気管の排気口が車体の下方側に位置すると、当該にミニショベルの周囲に存在する比較的低い植木や高さの低い構造物に向かって排気ガスが放出され、これらの植木や構造物に悪影響を及ぼしやすい。
【手続補正４】
【補正対象書類名】明細書
【補正対象項目名】０００３
【補正方法】変更
【補正の内容】
【０００３】
このようなことから、ミニショベルにあって、エンジンの排気ガスを上方位置で放出する排気管を備えたものがある。この排気管は運転席が配置されるキャビンすなわち運転室の右側方の後部付近に配置されている。
【手続補正５】
【補正対象書類名】明細書
【補正対象項目名】０００６
【補正方法】変更
【補正の内容】
【０００６】
本発明は、上述した従来技術における実状からなされたもので、その目的は、運転席に座ったオペレータの良好な後方視界を確保することができるミニショベルを提供することにある。
【手続補正６】
【補正対象書類名】明細書
【補正対象項目名】０００７
【補正方法】変更
【補正の内容】
【０００７】
この目的を達成するために、本発明は、旋回体と、この旋回体に取り付けた作業装置と、上記旋回体上に配置した運転席と、この運転席の後方に配置したカウンタウェイトと、上記旋回体上に配置され、エンジンの排気ガスが導かれるマフラと、このマフラから排出された排気ガスを上記カウンタウェイトの上方位置で放出させる排気口を有する排気管を備えたミニショベルにおいて、上記運転席の後側に立設した運転室またはキャノピのため複数の支柱を備え、上記運転席の座席基準点と上記複数の支柱のうちのいずれかの支柱とを結ぶ仮想的な直線上、または上記仮想的な直線の近傍位置に、上記排気管を配置し、上記運転席から後方を確認しようとするとき、上記支柱の背後に上記排気管が完全に隠れた状態になるように構成したことを特徴としている。
【手続補正７】
【補正対象書類名】明細書
【補正対象項目名】０００９
【補正方法】変更
【補正の内容】
【０００９】
また本発明は、排気ガスが導かれることによって排気管が熱くなるが、この排気管の表面からの輻射熱が上述の運転席の背後に立設された支柱によって遮られる。これにより、運転席に着座したオペレータに対して、排気ガスの熱による不快な暖かさを与えないようにすることができる。昨今、排気ガス処理装置を備えたミニショベルが開発されてきているが、排気ガス処理装置を備えていないミニショベルの排気ガス温度が３００℃程度であったものが、排気ガス処理時にＮＯｘやＰＭ（粒子状物質）の燃焼に伴って生じる高熱により、排気ガス温度が６００℃位まで上昇することが知られている。したがって、このような排気ガス処理装置を備えたミニショベルにあっては、排気管の表面温度も高くなりやすい。このように排気管の表面温度が高くなり、上述した輻射熱が高くなりやすいミニショベルに、本発明は特に有効である。
【手続補正８】
【補正対象書類名】明細書
【補正対象項目名】００１０
【補正方法】削除
【補正の内容】
【手続補正９】
【補正対象書類名】明細書
【補正対象項目名】００１６
【補正方法】変更
【補正の内容】
【００１６】
また本発明は、上記旋回体上に配置され、上記運転席の上方を覆うルーフを有するキャノピを備え、上記排気管の高さ寸法を、上記排気口が上記キャノピの上記ルーフの最上部と最下部の間に配置される高さ寸法に設定したことを特徴としている。
【手続補正１０】
【補正対象書類名】明細書
【補正対象項目名】００１８
【補正方法】変更
【補正の内容】
【００１８】
また本発明は、排気管をキャノピのルーフより上方に突出させないようにすることができるので、トレーラに当該ミニショベルを乗せて運搬する際の高さ規制による制約を受けないようにすることができる。また本発明は、建物内作業を行うために建物の入口から進入させようとするときに、排気管を入口の上部に当たらないようにすることができる。
【手続補正１１】
【補正対象書類名】明細書
【補正対象項目名】００１９
【補正方法】変更
【補正の内容】
【００１９】
本発明は、運転席の後側に立設した運転室またはキャノピのため複数の支柱を備え、運転席の座席基準点と、上述した複数の支柱のうちのいずれかの支柱とを結ぶ仮想的な直線上、または上記仮想的な直線の近傍位置に、エンジンの排気ガスをカウンタウェイトの上方位置で放出する排気管を配置し、運転席から後方を確認しようとするとき、支柱の背後に排気管が完全に隠れた状態になるように構成してあることから、運転席に座ったオペレータが後方を目で確認しようとするときに、排気管が該当する支柱の背後に隠れた状態とすることができる。これにより本発明は、運転席に座ったオペレータの良好な後方視界を確保することができ、従来に比べて当該ミニショベルで実施される作業の作業性を向上させることができる。また本発明は、良好な後方視界を確保できることから、当該ミニショベルの後方に存在する構造物や人に対する安全性を確保することができる。これらのことから本発明は、町中等の狭い場所における作業にも好適である。
【手続補正１２】
【補正対象書類名】明細書
【補正対象項目名】００２０
【補正方法】変更
【補正の内容】
【００２０】
【図１】本発明に係るミニショベルの第１実施形態を構成する車体を示す側面図である。
【図２】図１に示すミニショベルに備えられる車体の背面図である。
【図３】図１に示すミニショベルの車体を斜め前方から見た斜視図である。
【図４】図１に示すミニショベルの車体の平面図である。
【図５】図１に示すミニショベルの運転席に座ったオペレータと、後側左支柱及び排気管の位置関係を示す図で、（ａ）図は背面図、（ｂ）図は平面図である。
【図６】第１実施形態に備えられる排気管の排気口の高さ位置を説明する図である。
【図７】第１実施形態に備えられる排気管及び排気管カバーを示す図で、（ａ）図は正面図、（ｂ）図は平面図、（ｃ）図は正面側から見た斜視図、（ｄ）図は背面側から見た斜視図である。
【図８】第１実施形態に備えられる排気管及び排気管カバーを示す図で、（ａ）図は背面図、（ｂ）図は（ａ）図のＢ−Ｂ断面図、（ｃ）図は（ａ）図のＣ−Ｃ断面図、（ｄ）図は（ａ）図のＡ−Ａ断面図、（ｅ）図は側面図である。
【図９】第１実施形態に備えられる排気管及び排気管カバーのそれぞれ上方部分を示す拡大斜視図である。
【図１０】第１実施形態に備えられるカバー保持部を示す図で、（ａ）図はカバー保持部を分解して示した斜視図、（ｂ）図はカバー保持部を排気管に取り付けた状態を示す斜視図である。
【図１１】第１実施形態に備えられるカバー保持部を示す図で、（ａ）図はカバー保持部を排気管に取り付けた状態を示す拡大斜視図、（ｂ）図はカバー保持部を排気管に取り付けた状態を示す拡大平面図である。
【図１２】第１実施形態に備えられる排気管及び排気管カバーの取り付け関係を示す分解斜視図である。
【図１３】第１実施形態に備えられるテールパイプと排気管の配置関係を示す要部断面図である。
【図１４】本発明に係るミニショベルの第２実施形態を構成する車体を示す側面図である。
【図１５】図１４に示すミニショベルの車体の背面図である。
【図１６】図１４に示すミニショベルの車体の平面図である。
【図１７】図１４に示すミニショベルの車体から運転室の屋根を除いた状態を示す平面図である。
【図１８】図１４に示すミニショベルの車体を斜め前方から見た斜視図である。
【図１９】第２実施形態に備えられる排気管及び排気管カバーを示す図で、（ａ）図は正面図、（ｂ）図は平面図、（ｃ）図は正面側から見た斜視図、（ｄ）図は背面側から見た斜視図である。
【図２０】第２実施形態に備えられる排気管及び排気管カバーを示す図で、（ａ）図は背面図、（ｂ）図は（ａ）図のＡ−Ａ断面図、（ｃ）図は（ａ）図のＢ−Ｂ断面図、（ｄ）図は（ａ）図のＣ−Ｃ断面図、（ｅ）図は側面図である。
【図２１】第２実施形態に備えられるテールパイプと排気管の配置関係を示す要部平面図である。
【手続補正１３】
【補正対象書類名】明細書
【補正対象項目名】００２１
【補正方法】変更
【補正の内容】
【００２１】
以下、本発明に係るミニショベルの実施の形態を図に基づいて説明する。
【手続補正１４】
【補正対象書類名】明細書
【補正対象項目名】００２２
【補正方法】変更
【補正の内容】
【００２２】
図１は本発明に係るミニショベルの第１実施形態を構成する車体を示す側面図、図２は図１に示すミニショベルに備えられる車体の背面図、図３は図１に示すミニショベルの車体を斜め前方から見た斜視図、図４は図１に示すミニショベルの車体の平面図、図５は図１に示すミニショベルの運転席に座ったオペレータと、後側左支柱及び排気管の位置関係を示す図で、（ａ）図は背面図、（ｂ）図は平面図である。
【手続補正１５】
【補正対象書類名】明細書
【補正対象項目名】００２３
【補正方法】変更
【補正の内容】
【００２３】
図１〜４に示すように、第１実施形態に係るミニショベルは、走行体１と、この走行体１上に配置される旋回体２と、この旋回体２の前側に配置された支持部１６に支持される図示しない作業装置とを備えている。作業装置は、ブーム、アーム、バケット等を備え、土砂の掘削作業等を実施することができる。上述した走行体１と旋回体２は車体を構成している。
【手続補正１６】
【補正対象書類名】明細書
【補正対象項目名】００４４
【補正方法】変更
【補正の内容】
【００４４】
また、この第１実施形態によれば、排気ガスが導かれることによって排気管１３が熱くなるが、この排気管１３の表面からの輻射熱が運転席３の背後に立設された後側左支柱５ｄによって遮られる。これにより、運転席３に着座したオペレータ２２に対して、排気ガスの熱による不快な暖かさを与えないようにすることができる。したがって、排気ガスの温度が高温となりやすい上述した排気ガス処理装置を備えたミニショベルにあっては、排気管１３の表面温度も高くなりやすい。このように排気管１３の表面温度が高くなり、上述した輻射熱が高くなるミニショベルにもこの第１実施形態は好適である。
【手続補正１７】
【補正対象書類名】明細書
【補正対象項目名】００４５
【補正方法】変更
【補正の内容】
【００４５】
また、この第１実施形態によれば、排気管カバー２１に含まれる第１，第２分割カバー部２１Ａ，２１Ｂの下端部分に、ブラシ等の清掃具の挿入を許容させる開口部３０を形成する第１，第２切り欠き部２１Ａ２，２１Ｂ２を形成したことから、排気管１３と第１，第２分割カバー部２１Ａ，２１Ｂの隙間１３ｂから枯葉等のゴミが侵入し、排気管１３及び第１，第２分割カバー部２１Ａ，２１Ｂの下端部付近に溜まった場合には、第１，第２分割カバー部２１Ａ，２１Ｂを分解することなく、第１，第２分割カバー部２１Ａ，２１Ｂの下端部分に形成した第１，第２切り欠き部２１Ａ２，２１Ｂ２によって形成される開口部３０にブラシ等の清掃具を挿入して、そのゴミを簡単に清掃除去することができる。これにより、第１，第２分割カバー部２１Ａ，２１Ｂの下端部分に溜まったゴミの清掃作業を能率良く行うことができる。したがって、この第１実施形態は、上述したように排気ガス処理装置を備え排気ガスの温度が高くなりやすく、枯葉等のゴミの排気管１３への接触を防ぐことが特に要望されるミニショベルとしても好適である。さらに、この第１実施形態は、町中等のように枯葉等のゴミが生じやすい作業環境に好適である。
【手続補正１８】
【補正対象書類名】明細書
【補正対象項目名】００６２
【補正方法】変更
【補正の内容】
【００６２】
図１４は本発明に係るミニショベルの第２実施形態を構成する車体を示す側面図、図１５は図１４に示すミニショベルの車体の背面図、図１６は図１４に示すミニショベルの車体の平面図、図１７は図１４に示すミニショベルの車体から運転室の屋根を除いた状態を示す平面図、図１８は図１４に示すミニショベルの車体を斜め前方から見た斜視図である。
【手続補正１９】
【補正対象書類名】明細書
【補正対象項目名】００６３
【補正方法】変更
【補正の内容】
【００６３】
これらの図１６〜１８に示すように、第２実施形態に係るミニショベルも車体を構成する走行体４１と、旋回体４２とを備え、旋回体４２の前側には図示しない作業装置が取り付けられる支持部５６を備えている。作業装置は、ブーム、アーム、バケット等を備え、土砂の掘削作業等を実施することができる。
【手続補正２０】
【補正対象書類名】明細書
【補正対象項目名】００８０
【補正方法】削除
【補正の内容】
【手続補正２１】
【補正対象書類名】特許請求の範囲
【補正対象項目名】全文
【補正方法】変更
【補正の内容】
【特許請求の範囲】
【請求項１】
旋回体と、この旋回体に取り付けた作業装置と、上記旋回体上に配置した運転席と、この運転席の後方に配置したカウンタウェイトと、上記旋回体上に配置され、エンジンの排気ガスが導かれるマフラと、このマフラから排出された排気ガスを上記カウンタウェイトの上方位置で放出させる排気口を有する排気管を備えたミニショベルにおいて、
上記運転席の後側に立設した運転室またはキャノピのため複数の支柱を備え、
上記運転席の座席基準点と上記複数の支柱のうちのいずれかの支柱とを結ぶ仮想的な直線上、または上記仮想的な直線の近傍位置に、上記排気管を配置し、上記運転席から後方を確認しようとするとき、上記支柱の背後に上記排気管が完全に隠れた状態になるように構成したことを特徴とするミニショベル。
【請求項２】
請求項１に記載のミニショベルにおいて、
上記排気管への接触を防ぐ排気管カバーを備え、上記排気管カバーの下端部分に、清掃具の挿入を許容させる開口部を形成する切り欠き部を設けたことを特徴とするミニショベル。
【請求項３】
請求項２に記載のミニショベルにおいて、
上記排気管カバーを上記排気管に保持させるカバー保持部を備え、
上記カバー保持部は、上記排気管の周面を囲むように上記排気管との間に隙間をもって配置した環状部材と、この環状部材を支持し上記排気管の周面に固定した支持部材と、上記環状部材に固定され、上下方向に延設させた立設部材と、この立設部材に上記排気管カバーを取り付ける取り付け手段とを備えたことを特徴とするミニショベル。
【請求項４】
請求項１項に記載のミニショベルにおいて、
上記旋回体上に配置され、上記運転席の上方を覆うルーフを有するキャノピを備え、
上記排気管の高さ寸法を、上記排気口が上記キャノピの上記ルーフの最上部と最下部の間に配置される高さ寸法に設定したことを特徴とするミニショベル。